(57)【要約】本発明の吸引装置の栓（１）は、上面（３）と、サンプル収集容器に適合するテーパ状側面（７）と、下面（５）とを有する。第１孔（９）と第２孔（１１）とが、上面から下面まで伸びる。第１孔（９）は入口チューブ用であり、第２孔（１１）は吸引チューブ用である。第１孔は、前記栓本体の下面にリセスを有する。このリセスは、洗浄流体供給装置（例、シリンジ）のノズルをシールしながら収納し、これにより、洗浄流体が、前記入口チューブ内に向けられる。
2007511332.tif 000002
【特許請求の範囲】
【請求項１】
吸引装置の栓において、
前記栓は、サンプル収集容器に適合するテーパ状側面と、下面と、栓本体内を伸びる第１孔とを有し、
前記第１孔は、入口チューブ用であり、
前記第１孔は、前記栓本体の下面に第１リセスを有し、  
前記第１リセスは、洗浄流体供給装置をシールしながら収納し、  
これにより、洗浄流体が、前記入口チューブ内に向けられる
ことを特徴とする吸引装置の栓。
【請求項２】
前記栓は、吸引チューブ用にその中を貫通して伸びる第２孔を有し、
前記第２孔は、栓本体の下面に第２リセスを有する
ことを特徴とする請求項１記載の吸引装置の栓。
【請求項３】
前記第２リセスは、第１リセスよりも栓本体内により深く入り込む
ことを特徴とする請求項２記載の吸引装置の栓。
【請求項４】
前記第１リセスは、シリンジのノズルをシール可能に収納する大きさである
ことを特徴とする請求項１記載の吸引装置の栓。
【請求項５】
前記第１リセスは、円筒形状である
ことを特徴とする請求項１記載の吸引装置の栓。
【請求項６】
前記第１リセスは、前記第１リセス内の第１孔周囲に封止面を有する
ことを特徴とする請求項１記載の吸引装置の栓。
【請求項７】
前記封止面は、第１孔から離れる方向にテーパ状になった凸状切頭円錐表面を有する
ことを特徴とする請求項１記載の吸引装置の栓。
【請求項８】
前記栓は、柔軟エラストマ材料、例えばシリコンラバー製あるいは熱可塑性エラストマから製造される
ことを特徴とする請求項１記載の吸引装置の栓。
【請求項９】
吸引組立体を有し、
前記吸引組立体は、吸引ニードルと、前記吸引ニードルから栓に伸びるサンプル収集チューブとを有し、
前記栓は、サンプル収集容器に適合し、
前記栓は、栓本体内を貫通して下面に伸びる第１孔と第２孔とを有し、
前記サンプル収集チューブは、前記第１孔内に伸び、
前記第２孔は、前記第２孔から吸引装置にまで伸びる吸引チューブを有する
ことを特徴とする請求項１記載の栓を有する吸引装置。
【請求項１０】
前記リセスは、解放端とベースとを有し
前記サンプル収集チューブは、前記栓を貫通して前記リセスのベースまで伸びる
ことを特徴とする請求項９記載の吸引装置の栓。
【請求項１１】
前記リセスのベースは、前記第１孔周囲に封止面を有する
ことを特徴とする請求項１０記載の吸引装置の栓。
【請求項１２】
前記封止面は、前記第１孔から離れる方向にテーパ状をした凸状切頭円錐表面を有する
ことを特徴とする請求項１１記載の吸引装置の栓。
【発明の詳細な説明】
【技術分野】
【０００１】
本発明は、サンプリングチューブ用の栓に関し、特に、吸引装置で使用されるサンプリングチューブ用の栓に関する。
【背景技術】
【０００２】
卵巣の小胞から卵母細胞を抽出する吸引装置においては、ニードル（針）とチューブ組立体を用いて、サンプルチューブ内に卵母細胞を吸引する。この吸引装置は栓を有し、この栓がサンプリングチューブに適合する。この栓には２個の孔が形成され、一方は吸引された流体チューブ用であり、他方は真空源に接続されるチューブである。
【０００３】
この様な吸引装置を使用する前に、吸引装置に流体を流して開通性をチェックし、吸引装置から空気を除去する。医療のアプリケーションの一例は、卵子の小胞を再充填し、この小胞物を再吸引することである。これは、卵母細胞の堆積物の複合体を取り出すのを助けるため、圧縮流体の流れを用いつことが目的である。
【発明の開示】
【発明が解決しようとする課題】
【０００４】
従来の流体洗浄と圧縮は、シリンジの先端を入力チューブの上に被せて、流体をこの入力チューブを通して、ニードル（針）に注入することにより行っていた。問題が、入力チューブの周囲で良好なシールを得ることができず、本発明の目的は、シールを改善し装置をより使い易くすることである。
【０００５】
本発明は、吸引装置へのアプリケーションを例に説明するが、本発明は、同種の問題があるこれ以外のアプリケーションにも拡張可能である。
【課題を解決するための手段】
【０００６】
本発明の一態様によれば、本発明は、吸引装置の栓である。本発明の栓は、サンプル収集容器に適合するテーパ状側面と、下面と、栓本体内を伸びる第１孔とを有し、前記第１孔は、入口チューブ用であり、前記第１孔は、前記栓本体の下面に第１リセスを有し、前記第１リセスは、洗浄流体供給装置をシールしながら収納し、これにより、洗浄流体が、前記入口チューブ内に向けられる。
【０００７】
本発明の一実施例によれば、本発明の栓は、吸引チューブ用にその中を貫通して伸びる第２孔を有し、この際２孔は、栓本体の下面に第２リセスを有し、第２リセスは、第１リセスよりも栓本体内により深く入り込む。
【０００８】
本発明の一実施例によれば、第１リセスは、シリンジのノズルをシール可能に収納する大きさである。この為に、第１リセスは、円筒形状である。
【０００９】
第１リセスは、前記第１リセス内の第１孔周囲に封止面を有する。この封止面は、第１孔から離れる方向にテーパ状になった凸状切頭円錐表面を有する。
【００１０】
本発明の別の態様においては、本発明は吸引装置の栓に関する。この栓はその中を貫通する孔とその下面にソケットとを有する。この下面は、前記孔と連通し洗浄流体供給装置をシールしながら収納し、これにより洗浄流体を孔を介して向ける。
【００１１】
本発明の更なる別の態様によれば、本発明は、吸引組立体に関する。吸引組立体は、吸引ニードルと、前記吸引ニードルから栓に伸びるサンプル収集チューブとを有し、前記栓は、サンプル収集容器に適合し、前記栓は、栓本体内を貫通して下面に伸びる第１孔と第２孔とを有し、前記サンプル収集チューブは、前記第１孔内に伸び、前記第２孔は、前記第１孔から吸引装置にまで伸びる吸引チューブを有する。第１孔は栓の下表面にリセスを有する。このリセスは洗浄流体供給装置をシールしながら収納し、洗浄流体はサンプル収集チューブを介して吸引ニードルの方に向けることができる。
【００１２】
前記リセスは、解放端とベースとを有し、前記サンプル収集チューブは、前記栓を貫通して前記リセスのベースまで伸びる。
【００１３】
リセスのベースは、前記第１孔周囲に封止面を有する。前記封止面は、前記第１孔から離れる方向にテーパ状をした凸状切頭円錐表面を有する。
【００１４】
本発明の更に別の態様によれば、本発明はサンプリングチューブ用の栓に関する。この栓は、サンプル収集容器に挿入される第１挿入端と、第２外部端部と、前記第１端部と第２端部の間を栓本体内を伸びる流体チャネルとを有する。この流体チャネルは、その挿入端において栓内に凹んだ係合部分を有する。この係合部分は、洗浄流体供給装置の出口をシールしながら収納する。
【００１５】
栓は、柔軟エラストマ材料、例えばシリコンラバー製あるいは熱可塑性エラストマから製造される。
【実施例】
【００１６】
図１−５に示す第１実施例を参照すると、栓１は、上面３と、下面５と、テーパ状側面７とを有する。栓１を貫通して入口孔９と出口孔１１が伸びる。入口孔９のベースに入口リセス１３が、出口孔１１のベースに出口リセス１５が、形成される。出口リセス１５は入口リセス１３よりも深い、即ち栓１内に更に入り込んでいる。
【００１７】
図２から分かるように、サンプル収集チューブ１７は、入口孔９に入り、入口リセス１３のベース１９まで伸びる。同様に、吸引チューブ２１は、出口孔１１に入り、出口リセス１５のベース２３まで伸びる。
【００１８】
サンプル収集チューブ１７を洗浄しようとするときには、洗浄流体供給装置例えばシリンジのノズルを入口リセス１３内に配置し、ベース１９に当ててシールし、洗浄用流体をサンプル収集チューブ１７に供給する。便宜上、入口リセス１３の寸法は、入口リセス１３の内面２５とベース１９が、シリンジのノズルの側面と先端に当たってシールするような大きさである。
【００１９】
図６Ａ，６Ｂ，６Ｃは本発明の第２実施例の栓を示す。図６Ａ，６Ｂ，６Ｃに示した実施例の特徴は、図１−５に示したのと同一で、同一構成要素には同一番号を付す。
【００２０】
図６Ａは、本発明の第２実施例による栓の側面図。図６Ｂは本発明の第２実施例による栓の上面図。図６Ｃは、図６Ａの線６Ｃ−６Ｃ’に沿った断面図。
【００２１】
栓３０は、上面３と下面５とテーパ状側面７とを有する。栓３０を貫通して入口孔９と出口孔１１が伸びる。入口孔９のベースに入口リセス１３が、出口孔１１のベースに出口リセス１５が、形成される。出口リセス１５は、入口リセス１３よりも深い、即ち栓３０内に深く入り込んでいる。出口孔１１は、栓３０の上面３上のその入口部分に面取り４３を有し、吸引チューブを出口孔１１内に配置するのを補助する。入口孔９は、栓３０の上面３上のその入口部分に面取３７を有し、吸引チューブを出口孔１１内に配置するのを補助する。
【００２２】
入口孔９は、その下方に向いて一体に形成された封止リング３８を有し、サンプル収集チューブが入口孔９に挿入された際に、サンプル収集チューブに対しシールをするのを補助する。入口孔９のベースにある肩部３９と小径部４１が、サンプル収集チューブが入口孔９に挿入された際に、サンプル収集チューブに対し支持機能と停止機能とを与える。
【００２３】
この実施例においては、栓３０の入口リセス１３のベース３２は、入口孔９の周囲に封止面３６を有し、シールするのを補助する。ベース３２上の封止面３６は、入口孔９の開口３４から入口リセス１３の内面２５に向いて、凸状の切頭円錐表面テーパ形状をしている。
【００２４】
栓は、柔軟材料例えばシリコンエラストマ又は熱可塑性エラストマから製造され、そのため封止面３６は、シリンジのノズルの先端に対し良好なシール（封止）機能を提供する。
【００２５】
シリンジの使用例を図７に示す。シリンジ４０は、ノズル４２を有する。このノズル４２は、サンプル収集チューブ４４内を洗浄しようとするときに、栓４８内のリセス４６内に配置される。シリンジのプランジャ５０を動かして、栓４８内の開口５２とサンプル収集チューブ４４を通して洗浄流体を押し込む。
【００２６】
本発明の栓と共に使用される吸引カテーテルの一実施例を図８に示す。この実施例において、吸引装置５８は、ハンドル６２から伸びる吸引ニードル（針）６０を有する。サンプル収集容器６４は、ハンドル６２に更には吸引ニードル（針）６０に、サンプル収集チューブ６６と栓６８を介して接続される。この栓６８はサンプル収集容器６４に挿入される。
【００２７】
栓６８から真空源７２まで吸引チューブ７０が伸びる。
【００２８】
卵母細胞と卵子を収集するプロセスにおいて、吸引ニードル（針）６０は、人間又は動物の卵巣内の小胞に挿入される。小胞に孔が空けられると、真空源７２を活性化してサンプル収集容器６４とサンプル収集チューブ６６と吸引ニードル（針）６０を通して吸引を行い、卵母細胞をサンプル収集容器６４内に引き込む。
【００２９】
前述したように、使用前に吸引システム内に空気が無いことを確認するために、洗浄流体をサンプル収集チューブ６６とハンドル６２と吸引ニードル（針）６０を介して供給することは有益である。このために、栓６８をサンプル収集容器６４に配置する前に、シリンジのノズルを栓６８のリセス７６内に配置することにより、栓６８をサンプル収集容器６４内に配置する前に、洗浄用流体を栓６８を介してサンプル収集チューブ６６内に向ける。
【００３０】
以上の説明は、本発明の一実施例に関するもので、この技術分野の当業者であれば、本発明の種々の変形例を考え得るが、それらはいずれも本発明の技術的範囲に包含される。
【図面の簡単な説明】
【００３１】
【図１】本発明の第１実施例による栓の断面図。
【図２】図１の実施例において吸引チューブと入力チューブが栓に挿入された状態を表す図。
【図３】図１の栓の底面図。
【図４】図１の栓の上面図。
【図５】内部の構成要素が点線で示された図１の栓の斜視図。
【図６Ａ】本発明の第２実施例による栓の側面図。
【図６Ｂ】本発明の第２実施例による栓の上面図。
【図６Ｃ】図６Ａの線６Ｃ−６Ｃ’に沿った栓の断面図。
【図７】シリンジを用いてフラッシング（流体洗浄）を行うために組立られた本発明の栓を表す図。
【図８】本発明による吸引組立体を表す図。
【符号の説明】
【００３２】
１  栓
３  上面
５  下面
７  テーパ状側面
９  入口孔
１１  吸引孔
１３  入口リセス
１５  出口リセス
１７  サンプル収集チューブ
１９  ベース
２１  吸引チューブ
２３  ベース
２５  内面
３０  栓
３２  ベース
３４  開口
３６  封止面
３７  
３８  封止リング
３９  肩部
４０  シリンジ
４１  小径部
４２  ノズル
４３，４７  面取り部
４４  サンプル収集チューブ
４６  リセス
４８  栓
５０  プランジャ
５２  開口
５８  吸引装置
６０  吸引ニードル（針）
６２  ハンドル
６４  サンプル収集容器
６６  サンプル収集チューブ
６８  栓
７０  吸引チューブ
７２  真空源
７６  リセス
【図１】
2007511332.tif 000003
【図２】
2007511332.tif 000004
【図３】
2007511332.tif 000005
【図４】
2007511332.tif 000006
【図５】
2007511332.tif 000007
【図６Ａ】
2007511332.tif 000008
【図６Ｂ】
2007511332.tif 000009
【図６Ｃ】
2007511332.tif 000010
【図７】
2007511332.tif 000011
【図８】
2007511332.tif 000012
【国際調査報告】
2007511332.tif 000013
2007511332.tif 000014
2007511332.tif 000015